(57)【要約】  送られるべき流体を取り込むためのホースを備えるとともに、リングギヤと、サンギヤと、少なくとも２つの遊星ギヤとを有する遊星ギヤラックをさらに備えており、遊星ギヤは、リングギヤとサンギヤとの間に介装されており、遊星ギヤの歯のうちの少なくとも１つが、サンギヤを回る遊星ギヤの１サイクルにおいて、ホースの一部分を圧迫するように、ホースに少なくとも１回係合するホースポンプ。【特許請求の範囲】
【請求項１】
送られるべき流体を取り込むためのホース（２）を備えるとともに、リングギヤ（４）と、サンギヤ（５）と、少なくとも２つの遊星ギヤ（６）とを有する遊星ギヤラック（３）をさらに備えており、前記少なくとも２つの遊星ギヤ（６）は、前記リングギヤ（４）と前記サンギヤ（５）との間に介装されている、ホースポンプ（１）であって、
前記遊星ギヤ（６）の歯（７）のうちの少なくとも１つが、前記サンギヤ（５）を回る前記遊星ギヤ（６）の１サイクルにおいて、前記ホース（２）の一部分を圧迫するように、前記ホース（２）に少なくとも１回係合する、ことを特徴とするホースポンプ（１）。
【請求項２】
支持面によって、前記ホース（２）の一部分が前記遊星ギヤ（６）の前記歯（７）と前記支持面（１０）との間で圧迫される、ことを特徴とする請求項１に記載のホースポンプ。
【請求項３】
前記リングギヤ（４）は、リングの一部分であり、前記リングギヤ（４）は、前記リングギヤ（４）を完全なリングにすると考えられるさらなるリング部分の代わりに、開口部（９）を有しており、前記ホース（２）の一部分が、前記開口部（９）の中に配置される、ことを特徴とする請求項１または２に記載のホースポンプ。
【請求項４】
前記リングギヤ（４）の前記リング部分は、１８０°超の範囲に及んでいる、ことを特徴とする請求項３に記載のホースポンプ。
【請求項５】
前記リングギヤ（４）の前記リング部分は、３６０°から囲み角度を引き算することによって計算される角度より小さく、前記囲み角度は、式：
囲み角度＝３６０°／（遊星ギヤラック（３）の遊星ギヤ（６）の数）
によって計算される、ことを特徴とする請求項３または４に記載のホースポンプ。
【請求項６】
前記遊星ギヤは、該遊星ギヤの回転軸の方向において、前記リングギヤよりも延びており、前記遊星ギヤのうちの前記リングギヤよりも延びている部分が、前記ホースに係合して、前記ホースの一部分を圧迫する、ことを特徴とする請求項１から５のいずれか一項に記載のホースポンプ。
【請求項７】
位置センサが、前記遊星ギヤラックにおける前記遊星ギヤの回転位置を判定するために前記遊星ギヤまたはケージに配置されている、ことを特徴とする請求項１から６のいずれか一項に記載のホースポンプ。
【請求項８】
サンプルを分析するための装置であって、少なくとも１つのデポチャンバと、少なくとも１つのプロセスチャンバとを備えており、前記プロセスチャンバは、少なくとも１つの第１の支持部材に一体化され、前記デポチャンバは、少なくとも第２の支持部材に一体化され、前記第１および第２の支持部材は、前記第１および第２の支持部材のお互いに対する相対的な移動によって前記プロセスチャンバを前記デポチャンバに接続できるように構成されており、当該装置は、当該装置の内部で物質を一方のチャンバから別のチャンバへと運ぶためのポンプ要素をさらに備えている装置であり、
前記ポンプ要素が、請求項１から７のいずれか一項に記載のホースポンプ（１）である、ことを特徴とするサンプル分析装置。
【請求項９】
請求項１から７のいずれか一項に記載のホースポンプ（１）または請求項８に記載の装置と、
前記遊星ギヤが前記サンギヤを回って駆動するように前記ホースポンプ（１）に作用する少なくとも１つのポンプ駆動部を備えているベースステーションと、を備えるシステム。
【請求項１０】
請求項１から７のいずれか一項に記載のホースポンプまたは請求項８に記載の装置は、前記ベースステーションに着脱可能に接続される、ことを特徴とする請求項９に記載のシステム。
【請求項１１】
請求項１から７のいずれか一項に記載のホースポンプ（１）、または請求項８に記載の装置、または請求項９または１０に記載のシステムは、患者の傍らでの用途の分野における使用であり、特に核酸分析の分野においての使用である。
【発明の詳細な説明】
【技術分野】
【０００１】
本発明は、ホースポンプに関する。さらに、本発明は、そのようなホースポンプを有する装置またはシステムに関し、特には化学的または生物学的サンプル、とりわけ例えば核酸を含む生物学的サンプルなどの生物学的起源のサンプルを分析するための装置またはシステムに関する。さらに、本発明は、「現場」および「患者の傍ら（ｐｏｉｎｔ−ｏｆ−ｃａｒｅ）」（ＰＯＣ）の用途に適した「ラボオンチップ」技術の分野に関する。
【背景技術】
【０００２】
国際公開第２０１０／００３６９０号Ａ１パンフレットから、サンプルを分析するための装置が知られており、この装置は、少なくとも１つのデポチャンバと、少なくとも１つのプロセスチャンバとを備えており、プロセスチャンバは、少なくとも１つの第１の支持部材に一体化され、デポチャンバは、少なくとも第２の支持部材に一体化され、これらの支持部材は、第１および第２の支持部材のお互いに対する相対的な移動によってプロセスチャンバをデポチャンバに接続できるように構成されている。装置は、装置の内部の物質を１つのチャンバから別のチャンバへと運ぶためのポンプ要素を有し、このポンプ要素は、支持部材のうちの１つに一体化されている。
【０００３】
核酸検査、ＮＡＴ、とくにはポリメラーゼ連鎖反応（ＰＣＲ）のすべての変種など、高度に洗練された化学、生化学、または分子生物学に基づく分析が、医薬および医療だけでなく、農業、バイオテクノロジ、化学、および環境ビジネスを含むほぼ全ての産業分野において、ますます魅力的になっている。例えば、治療結果あるいは工業製造プロセスおよびコストの計画および管理に関し、高まる要件を満たすことができる分析方法について、大きな需要が存在する。
【０００４】
技術水準の分析システムのほとんどは、非常に複雑であり、検査の実行および解釈に不安定な試薬の取り扱い、高価な実験装置、および高度に訓練された人員を必要とする。したがって、分析は、専門の研究所へと試料を送る必要があり、結果の取得にかなりの遅れを伴うため、通常は時間効果も費用効果も良好でない。この理由で、現場および患者の傍らでの検査（ＰＯＣＴ）が、試料の採取から結果までの時間を大幅に短縮するために、とくに望ましいものとなっている。臨床診断において、一部の自覚症状のない患者は、検査のプロセスについてせっかちになり、事後の予約に現れない可能性があるため、１回の訪問で適切な治療または安心が提供されなければならない。さらに、例えば鑑識検査（「犯行現場」、「現行犯逮捕」）、食品検査（ＧＭＯ検出、食品偽装）、防衛（バイオスレッド検出）、など、他の現場の用途のための迅速かつ容易に実行できる検査が、早急に必要とされている。
【０００５】
これまでのところ、研究室で処理される核酸検査（ＮＡＴ）は、一般に、通常は病原体免疫検出に基づく高速ＰＯＣ検査と比べてはるかに高い感度を有している。現時点において開発中のＮＡＴベースのプラットフォームおよび技術の大部分は、サンプルの準備、分析、およびデータ評価のための統合ソリューションを提供していない。成功したプラットフォームの例は、国際公開第２００５／１０６０４０号Ａ２パンフレットから知られている。しかしながら、この装置は、試薬を手作業で装填する必要があり、これはユーザにとって不便であり、誤りを起こしやすい。また、データ評価に、オペレータの介入が必要である。したがって、現場での検査には不適当である。さらに、いくつかの大型の射出成形部品と、フィルタ、ネジ、およびナットなどのさらなるいくつかの取り付け部品とからなる装置の複雑な箱入りラボの設計ゆえに、使い捨て装置のコストが高くなる。
【０００６】
国際公開第２０１０／００３６９０号Ａ１パンフレットから公知の装置について、特には使い捨てカートリッジとして使用される場合、費用効率の高い方法で製造することができるホースポンプでありながら、特に信頼性の高い方法で作動するホースポンプは有益である。
【先行技術文献】
【特許文献】
【０００７】
【特許文献１】国際公開第２０１０／００３６９０号Ａ１パンフレット
【特許文献２】国際公開第２００５／１０６０４０号Ａ２パンフレット
【発明の概要】
【発明が解決しようとする課題】
【０００８】
このような背景から、本発明が解決しようとする課題は、費用効率の高い方法で製造することができるホースポンプを提案することにあるが、特に信頼性の高い方法で作動するホースポンプは有益である。
【課題を解決するための手段】
【０００９】
この課題は、請求項１に記載のホースポンプ、請求項８に記載の装置、および／または請求項９に記載のシステムによって解決される。好ましい実施形態が、従属請求項および以下に続く説明の一部を構成する。
【発明の効果】
【００１０】
本発明は、遊星ギヤラックの遊星ギヤをホースポンプ用のローラとして使用するという全体的な考え方に基づく。遊星ギヤラックの遊星ギヤは、遊星ギヤがサンギヤの周りを循環する間に、リングギヤ内の正確に規定可能な位置をとる。これにより、ホースポンプによって送られる流体の量を正確に制御することが可能になる。加えて、遊星ギヤラックは、費用効率の高い方法で製造することができ、したがってホースポンプ自体を費用効率の高い方法で製造することができる。
【００１１】
先行技術のホースポンプに用いられている受動ローラの代わりに遊星ギヤラックの遊星ギヤを使用することは、ホースが遊星ギヤの円周の位置に配置される場合に、遊星ギヤの周速度が、ホースに沿った遊星ギヤの移動の速度と正確に同じであるという利点を有する。これは、遊星ギヤがホースへの引っ張り力を誘発することがないというプラスの効果をもたらす。これにより、より正確なポンプ作用が得られる。
【図面の簡単な説明】
【００１２】
【図１】唯一の図は、本発明に係るホースポンプを含むカートリッジを概略側面図で示している。
【発明を実施するための形態】
【００１３】
好ましい実施形態においては、ホースの一部分が、リングの一部分の形態で配置される。好ましい実施形態においては、遊星ギヤの歯が、ホースのこの部分においてホースに係合する。とくに好ましい実施形態においては、遊星ギヤの複数の歯が、１つの瞬間においてホースに係合するように作られる。好ましい実施形態においては、遊星ギヤは、ホースの一部分に沿って転がる。第１の歯がこのサイクルにおいて初めてホースに係合した後、このサイクルにおいて最後の歯がホースから離れるまで、遊星ギヤの歯のホースとの係合の他のすべての時点において、ホースの一部分に沿って転がる遊星ギヤを有するこの実施形態の好ましい実施形態においては、遊星ギヤの少なくとも１つの歯が、同じ瞬間においてホースに係合している。
【００１４】
遊星ギヤは、歯によって画定される外周の形状を有するが、遊星ギヤは、ホースに対してローラのように作用し、歯の先端の間の隙間をホースがまたぐ。好ましい実施形態においては、遊星ギヤの歯の先端が、平坦化される。これは、一方では、歯の間の隙間を減らし、したがってホースがまたぐべき対象を減らす。他方で、平坦化された歯または大きな内側尾根角度の頂部尾根を有する歯は、ホースの摩耗を減少させる。さらに、歯の先端が、ホースに沿って転がるときの遊星ギヤの滑りを防止する滑り止め効果を有することができる。
【００１５】
好ましい実施形態において、遊星ギヤラックは、３つよりも多くの遊星ギヤ、とくに好ましくは４つよりも多くの遊星ギヤ、とくに好ましくは５つ以上の遊星ギヤを有する。
【００１６】
好ましい実施形態においては、ホースポンプのすべての動作状態において、遊星ギヤラックの少なくとも１つの遊星ギヤの少なくとも１つの歯が、ホースに係合して、ホースの一部分を圧迫する。これにより、ホース内の流体の逆流が防止される。代案として、遊星ギヤの歯が係合するホース部分の下流にバルブを設けることが実現可能である。バルブは、遊星ギヤの歯がホースと係合する際に開かれ、ホースを圧迫することによってホース内の流体が変位させられる。バルブを開くことにより、流体のうちのホースと係合する遊星ギヤによって変位させられた部分に比例する流体の一部が、バルブを通って流れることができる。遊星ギヤの歯がホースから外れると、流体の逆流を防止するためにバルブが閉じられる。しかしながら、上述のように、ホースポンプが、遊星ギヤラックの少なくとも１つの遊星ギヤの少なくとも１つの歯がすべての動作状態においてホースに係合してホースの一部分を圧迫するような方法で設計されている場合には、ホースの一部分を圧迫している歯を流体の逆流の防止または低減に使用することができるため、このような弁を省略することができる。
【００１７】
本発明に係るホースポンプでは、遊星ギヤラックの歯の少なくとも１つがホースと係合し、ホースの一部分を圧迫する。好ましい実施形態においては、用語「圧迫」は、ホース内の流路がその範囲の一部分に関して閉じられるような方法でホースの一部分が圧迫されることを意味すると理解されるべきである。ホース内の流路が閉じられることで、圧迫されている部分を通る流体の流れが完全に停止される。しかしながら、別の実施形態において、用語「圧迫」は、歯がホースに係合することによってホース内の流路が部分的にだけ閉じられるような意味で理解される場合でも、やはり本発明の利点に（程度は軽くなるかもしれないが）達するであろう。残存する隙間は、理論的には、ホースの圧迫された一部分を通過する流体の逆流を許す。しかしながら、ホースのこの部分の流通抵抗が大幅に増加することで、ホースの圧迫された一部分を通って逆流する流体の量は、減少すると予想される。
【００１８】
好ましい実施形態において、ホースポンプは、支持面を有し、ホースの一部分は、遊星ギヤの歯と支持面との間で圧迫される。好ましい実施形態において、支持面は、湾曲した形状を有する。好ましい実施形態において、ホースは、ホースのうちの支持面に接触した部分がリングの一部分の形状をとるように、湾曲した支持面に接触する。これは、遊星ギヤラックの遊星ギヤがホースのこの部分に沿って転がりながらホースの一部分を支持面の一部分に押しつけることを可能にする良好な設計をもたらす。
【００１９】
好ましい実施形態において、遊星ギヤラックのリングギヤは、リングの一部分であり、リングギヤは、リングギヤを完全なリングにすると考えられるさらなるリング部分の代わりに、開口部を有しており、ホースの一部分が、この開口部の中に配置される。この設計は、遊星ギヤラックの遊星ギヤをホースの一部分を圧迫するようにホースに係合させるための簡単な方法を可能にする。
【００２０】
好ましい実施形態において、リングギヤのリング部分は、１８０°超に及ぶ。ホース部分に係合する遊星ギヤの移動の安定性および精度は、遊星ギヤを保持する遊星ギヤラックのケージの安定性によっても左右されると予想される。遊星ギヤラックのケージの安定性を、少なくとも２つの遊星ギヤが遊星ギヤラックの一部として設けられ、少なくとも１つの遊星ギヤがリングギヤと係合する実施形態において、高めることができる。これは、リングギヤが１８０°超に及ぶことによって実現することができる。
【００２１】
好ましい実施形態において、リングギヤの開口部は、囲み角度よりも大きく広がっており、囲み角度は、式：
囲み角度＝３６０°／（遊星ギヤラックの遊星ギヤの数）
によって計算される。
【００２２】
したがって、遊星ギヤが２つの場合、囲み角度は１８０°になり、リングギヤのリング部分の開口部は、１８０°超に及ぶと考えられる。遊星ギヤラックの遊星ギヤが３つの場合、囲み角度は１２０°であり、そのような実施形態のリングギヤの開口部は、好ましくは１２０°超に及ぶと考えられる。開口部を有するリングギヤを備える実施形態の好ましい実施形態においては、ホースの一部分が、リングギヤがリング部分よりもむしろ開口部を有する角度のうちの少なくとも４０％、好ましくは少なくとも５０％、とくに好ましくは７５％に及ぶリング部分の形状にて、開口部の中に配置される。開口部のより多くがホースの一部分によって占められるほど、サンギヤを回る遊星ギヤの回転運動のより多くを、ホースの流路の内部の流体を流体に沿って押し出すために使用することができる。
【００２３】
好ましい実施形態において、リングギヤが開口部を有する実施形態の開口部のサイズは、大部分の時間において遊星ギヤラックの１つの遊星ギヤだけがホースの一部分に係合するようなやり方で、遊星ギヤラックの遊星ギヤの数に相関する。好ましくは、流体の逆流を防止または低減するために、１つの遊星ギヤがホースとの係合から外れるときにのみ、次の遊星ギヤがホースに係合する。これは、ホースの一部分がリング部分の形状にて存在する角度が、囲み角度に等しいか、あるいは囲み角度よりもわずかに大きい場合に達成することができる。そのような実施形態においては、リングの部分を、３６０°から囲み角度を引き算した角度にまでは及ばないようにする必要がある。
【００２４】
好ましい実施形態においては、遊星ギヤが、遊星ギヤの回転軸の方向において、リングギヤよりも延びており、遊星ギヤのうちのリングギヤよりも延びている部分が、ホースに係合して、ホースの一部分を圧迫する。このような実施形態においては、ホースをリングギヤの隣に配置することができ、リングギヤを、完全なリングとなるように設計することができる。これにより、遊星ギヤラックの遊星ギヤは、ホースの一部分に係合するときに、同時にリングギヤにも係合することができる。これは、遊星ギヤがホースに係合しているときの遊星ギヤの位置決めをさらに安定させることができる。
【００２５】
好ましい実施形態においては、ホースの一部分が、リングギヤと同じ半径を有するリングの一部分の形状に配置され、遊星ギヤのうちのリングギヤよりも延びている部分がホースの一部分に接触するように、リングギヤの隣に配置される。
【００２６】
好ましい実施形態においては、位置センサが、遊星ギヤラックにおける遊星ギヤの回転位置を判定するために遊星ギヤまたはケージに配置される。遊星ギヤラック内の遊星ギヤの回転位置に関する知識は、ホースポンプのポンプ作用のより良好な制御を可能にする。
【００２７】
本発明に係る装置は、少なくとも１つのデポチャンバと、少なくとも１つのプロセスチャンバとを備えており、プロセスチャンバは、少なくとも１つの第１の支持部材に一体化され、デポチャンバは、少なくとも第２の支持部材に一体化され、支持部材は、第１および第２の支持部材のお互いに対する相対的な移動によってプロセスチャンバをデポチャンバに接続できるように構成されており、装置は、その装置の内部で物質を一方のチャンバから別のチャンバへと運ぶためのポンプ要素をさらに備えている。装置は、ポンプ要素として、本発明に係るホースポンプを有する。
【００２８】
本発明に係るシステムは、本発明に係るホースポンプまたは本発明に係る装置と、ベースステーションとを有し、このベースステーションは、例えばサンギヤを駆動することによって、遊星ギヤがサンギヤを回って駆動するようにホースポンプに作用するポンプ駆動部を少なくとも備える。あるいは、遊星ギヤを保持するケージを駆動することができる。
【００２９】
好ましい実施形態においては、本発明に係るシステムにおいて、ホースポンプまたは装置がベースステーションに着脱可能に接続される。これにより、例えば、遊星ギヤの駆動部をベースの一部にすることができる。これは、本発明における用語「ホースポンプ」が、遊星ギヤのための駆動部を持たない実施形態をも指すような意味で理解されるべきであることを意味する。
【００３０】
好ましい実施形態において、遊星ギヤラックは、３つ以上の遊星ギヤを有する。好ましくは、遊星ギヤラックは、６個以下の遊星ギヤを有する。
【００３１】
本発明に係るサンプル分析装置は、単純かつ複雑でない設計を提供し、特には安価に製造できる設計を提供する。したがって、本発明は、「使い捨て」としての使用を適切に可能にする装置、すなわち使用後に処分されるラボオンチップも提供する。したがって、本発明の装置は、現場および患者の傍らでの検査の状況に特に適する。さらに、ポンプ要素を装置自体に統合することによって、分析の最中に物質に接触するすべての要素が、好ましくは使い捨てのユニットに組み合わせられ、そのようなユニットは、物質または装置自体の内部の汚染の防止に役立つ閉じた流体システムの生成を可能にする。このような汚染は、装置を「外部の」ポンプに接続しなければならない場合に発生し得る。
【００３２】
好都合には、装置のチャンバを、別個の分析を行うように構成された試薬で予め満たすことができる。これにより、装置を、「すぐに使用できる」形式のラボオンチップとして使用することができる。
【００３３】
本発明の装置において分析されるサンプルは、例えば生物学的、天然、合成、または半合成由来のサンプルなど、任意の由来または性質のサンプルであってよい。したがって、本発明は、いかなる特定のサンプルの由来にも限定されない。
【００３４】
好ましくは、弾性ホースを、ポンプ要素の一部として設けることができる。弾性ホースを、支持部材に一体化されたそれぞれの導管によってチャンバに接続することができる。例えば弾性ホースの長さに沿って移動するローラ要素によって弾性ホースを局所的に変形させることによって弾性ホースを可逆的に封じることにより、弾性ホース内にポンプ圧を生成することができる。これは、ローラ要素の移動の方向に面する側において、弾性ホース内に正圧を生む。結果として、弾性ホース内の反対側に負圧が発生する。
【００３５】
本発明における用語「弾性ホース」は、内部空間を画定し、この内部空間を囲む弾性的な外殻シェルを有し、少なくとも１つの入口および１つの出口をさらに有するあらゆる要素を包含することができる。本発明に係る弾性ホースは、必ずしも細長いパイプ状の形状を有する必要はないが、これが好ましい。
【００３６】
遊星ギヤラックの遊星ギヤをローラとして使用する利点は、ホースを遊星ギヤと支持面との間で圧迫するだけでよいという利点をもたらす。ホースをさらなる要素の間に通す必要がない。したがって、ホースがホースポンプへと組み込まれるとき、開いた流体の取り合いは存在しない。したがって、汚染のリスクが低減される。
【００３７】
本発明のさらなる好ましい実施形態において、支持部材はチャンバが互いに接続される相対位置にある場合に、閉ループ回路を生成するために、チャンバはポンプ要素へと接続される。閉じた流体ループは、一方では、チャンバ内の物質の汚染を回避し、この物質の流れの方向の反転を簡単なやり方でさらに可能にする。
【００３８】
試験または分析結果の視覚的、光学的、または任意の他の形態の画像関連の評価を可能にするために、本発明の装置を、少なくとも部分的に、例えば透明なポリマーなどの透明な材料で構成することで、反応チャンバまたは（導管を含む）装置の他の部分の観察を可能にすることができる。
【００３９】
本発明に係る装置を、好都合には、ベースステーションとともに使用することができ、そのベースステーションは、支持部材をお互いに対して移動させるための少なくとも１つの駆動部を備えることができる。ベースステーションは、ポンプ駆動部をさらに備えることができる。少なくともベースステーションと別個の分析装置とを備えるこのようなシステムは、複雑であり、したがって高価である技術装置をベースステーションに組み込むことができる一方で、分析装置を安価な使い捨て品として設計することができるという利点をもたらす。これは、分析装置または、それぞれ、本発明に係るシステムの使用に伴うコストを低減する。
【００４０】
本発明の好ましい実施形態において、装置のポンプ要素は、弾性ホースを備え、ベースステーションのポンプ駆動部は、変形要素、好ましくは弾性ホースの長さに沿って移動して弾性ホースを局所的に変形させるローラ要素を備える。この実施形態は、ポンプの複雑かつ高価な部分（装置のポンプ要素およびベースステーションのポンプ駆動部を含む）がベースステーションに位置し、弾性ホースだけが（好ましくは）使い捨ての装置の一部であるという点で、有利である。したがって、装置の製造コストを低く抑えることができる。
【００４１】
ベースステーションが制御および評価ユニットをさらに備える場合、ベースステーションの駆動部の制御を自動化することができる。これにより、装置内で実行される分析プロセスを完全に自動化することができる。
【００４２】
本発明に係るシステムは、少なくとも１つの加熱手段をさらに備えることができる。この加熱手段は、ベースステーションにおいて異なる温度ゾーンを生成することができる。さらに、ベースステーションは、これらの温度ゾーンを装置に対して移動させることができる駆動部を備えることができる。したがって、装置の異なるチャンバ内の温度を、それらのチャンバ内で実行されるそれぞれのプロセス工程に最も適した値に調節することができる。これにより、分析装置内で行われる連続したプロセス工程に合わせた温度プロファイルを生成することが可能になる。
【００４３】
本発明に係るホースポンプ、本発明に係る装置、および本発明に係るシステムは、好ましくは患者の傍らでの用途の分野にあり、とくには核酸分析の分野にある。
【００４４】
以下で、図面を参照して本発明を説明するが、図面はあくまでも特定の実施形態を示しているにすぎない。
【００４５】
図面に示されているホースポンプ（１）は、送られるべき流体を取り込むためのホース（２）を有している。ホースポンプ（１）は、リングギヤ（４）と、サンギヤ（５）と、５つの遊星ギヤ（６）とを備える遊星ギヤラック（３）をさらに有し、５つの遊星ギヤ（６）は、リングギヤ（４）とサンギヤ（５）との間に介装され、ケージによって保持されている。
【００４６】
図面に示されている動作の瞬間においては、遊星ギヤ（６）のうちの１つの遊星ギヤの歯（７）のうちの６つが、ホース（２）に係合し、ホースの一部を圧迫している。これを図面から見て取ることができ、歯（７）がホースに係合することで、ホース（２）内の流路が完全に塞がれている。ホースの壁は、この特定の瞬間において、地点（８）にある。
【００４７】
図面から見て取ることができるとおり、リングギヤは、リングの一部分である。リングギヤ（４）を完全なリングにすると考えられるさらなるリング部分の代わりに、リングギヤ（４）は、開口部（９）を有している。ホース（２）の一部分が、この開口部（９）の中に配置される。開口部は、図面に示されている実施形態においては約１１５°である角度α（アルファ）の範囲に及んでいる。したがって、リングギヤのリング部分は、２４５°（３６０°−α）の角度の範囲に及んでいる。
【００４８】
ホースポンプ（１）は、湾曲した形状を有する支持面（１０）を備えている。これにより、ホース（２）の支持面（１０）に接触する部分が、リングの一部分の形状をとることができる。このリング部分は、約９０°の角度β（ベータ）の範囲に及んでいる。
【００４９】
リングギヤの開口部およびホースのリング部分は、３６０°／（遊星ギヤラックの遊星ギヤの数）となるように定義された囲み角度よりも大きな角度の範囲に及んでいる。遊星ギヤラックの遊星ギヤが５つである図面に示されている実施形態の囲み角度は、７２°である。開口部の広がりは、α＝１１５°である。βは９０°に等しく、したがって７２°よりも大きいため、図面に示されている設計は、すべての瞬間において遊星ギヤのうちの少なくとも１つがホースの一部分に係合していること、および囲み角度よりも大きいβの度数、すなわち約１８°については、２つの遊星ギヤがホースの一部分に係合することを保証する。これにより、流体がホース（２）の流路を通って逆流することが防止される。
【００５０】
リングギヤ（４）の開口部（９）が角度α＝１１５°の範囲に及んでいること、およびホース（２）が約９０°の角度に及んでリングの一部分の形状をとっていることに鑑み、図面に示されている実施形態は、ホース（２）のうちのリングの一部分の形状とされた部分が占める角度が、開口部（９）が占める角度の約８０％である（β／αが、９０°／１１５°＝８０％に等しい）実施形態を示している。
【図１】
2017531132.tif 000002
【国際調査報告】
2017531132.tif 000003
2017531132.tif 000004
2017531132.tif 000005